(57)【要約】【課題】本発明は、岸壁への取付けが容易、かつ耐久性に優れた防舷材を提供することを目的とするものである。【解決手段】本発明は、岸壁１の天端２に沿って一定間隔ごとに配置されるワイヤー吊り下げ用ガイド部３と、このワイヤー吊り下げ用ガイド部３に、その下端に重り４を装着した状態で吊り下げられるガイドワイヤー部５と、これらのガイドワイヤー部５に上下動自在に外挿される防舷体６と、これらの防舷体６が連続して連結されるフロート７とから構成されるものである。【選択図】        図１
2004278047.tif 000002
【特許請求の範囲】
【請求項１】
岸壁に所定間隔ごとに突設配置されるワイヤー吊り下げ用ガイド部と、
該それぞれのワイヤー吊り下げ用ガイド部より、その下端に重りを装着した状態で吊り下げられるガイドワイヤー部と、
該それぞれのガイドワイヤー部に上下動自在に外挿される防舷体と、
該それぞれの防舷体との間に連結されるフロートとを備える
ことを特徴とする岸壁用防舷材。
【請求項２】
岸壁に突設配置されるワイヤー吊り下げ用ガイド部と、
該ワイヤー吊り下げ用ガイド部より、その下端に重りを装着した状態で吊り下げられるガイドワイヤー部と、
該ガイドワイヤー部に上下動自在に外挿されると共に干満に応じて浮遊するフロートが装着された防舷体とを備える
ことを特徴とする岸壁用防舷材。
【発明の詳細な説明】
【０００１】
【発明の属する技術分野】
本発明は岸壁用防舷材に関する。詳しくは潮の干満差に応じて浮遊することが可能な岸壁用防舷材に係るものである。
【０００２】
【従来の技術】
従来のゴム製岸壁用防舷材としては、岸壁に潮の干満差に対応するために縦長の防舷材を用いたり、２段に取り付けたりしていた。又、空気式の浮遊式の場合には荒天時の波浪を回避するためにその都度陸に引き上げたりして大変手間が掛かる問題があった。
【０００３】
そこで前記問題点を解消した防舷材として例えば図７に示すものがある（例えば、特許文献１参照。）。この岸壁用干満型浮力式防舷材は補強帆布入りのゴムシート１０１を椀状に加工して、その周囲フランジ部１０２を鉄板又は樹脂等からなる基板１０３に接着又は機械的方法により取付けて空気室１０４を設けた構造の岸壁用固定式空気式防舷材１０５と、岸壁の壁面に固定された２本の鋼製又は樹脂製のガイドレール１０６とからなり、防舷材１０５が直接岸壁に固定されずガイドレール１０６によってその基板１０３の両側辺部をくわえられるようにしながら自在に上下移動できる構造としたものである。
【０００４】
【特許文献１】
特開平９−１３３４８号（第１図参照。）
【０００５】
【発明が解決しようとする課題】
しかしながら前記構成の防舷材では岸壁に対して潮の干満に対応するストローク長さのガイドレールの取付け工事が必要となり、非常に煩雑な工事となる問題がある。
【０００６】
また、船舶が岸壁に接岸する際には防舷材に非常に大きな圧力がかかることとなる。この場合に空気室を設けた防舷材にあっては、接岸の際、船体の圧力によって空気室が圧壊する、あるいは空気漏れが生じる等の問題がある。
【０００７】
本発明は、以上の点に鑑みて創案されたものであって、岸壁への取付けが容易、かつ耐久性に優れた防舷材を提供することを目的とするものである。
【０００８】
【課題を解決するための手段】
上記の目的を達成するために、本発明に係る防舷材は、岸壁に所定間隔ごとに突設配置されるワイヤー吊り下げ用ガイド部と、該それぞれのワイヤー吊り下げ用ガイド部より、その下端に重りを装着した状態で吊り下げられるガイドワイヤー部と、該それぞれのガイドワイヤー部に上下動自在に外挿される防舷体と、該それぞれの防舷体との間に連結されるフロートとを備える。
【０００９】
ここで、岸壁よりガイドワイヤー部を吊下げることによって防舷材の設置が非常に容易に行えることとなる。更に防舷材自体を浮遊体とせずに所要間隔ごとに設置される各防舷材をフロートを介して連結することによって干満に応じて防舷材を常に海面に位置させることが可能となる。
【００１０】
また、上記の目的を達成するために、本発明に係る防舷材は、岸壁に突設配置されるワイヤー吊り下げ用ガイド部と、該ワイヤー吊り下げ用ガイド部より、その下端に重りを装着した状態で吊り下げられるガイドワイヤー部と、該ガイドワイヤー部に上下動自在に外挿されると共に干満に応じて浮遊するフロートが装着された防舷体とを備える。
【００１１】
ここで、小型船舶などの接岸による少数や単体の防舷材を設置する場合においては、ガイドワイヤー部に外挿される防舷材の下部にフロートを一体的に設けることによって干満に応じて防舷材を常に海面に位置させることが可能となる。
【００１２】
【発明の実施の形態】
以下、本発明の実施の形態を図面を参酌しながら説明し、本発明の理解に供する。
【００１３】
図１に、本発明を適用した岸壁用防舷材の一例を説明するための正面説明図、図２は図１における要部正面説明図、図３は図１における要部側面説明図を示す。ここで示す岸壁用防舷材は、岸壁１の天端２に沿って一定間隔ごとに配置されるワイヤー吊り下げ用ガイド部３と、このワイヤー吊り下げ用ガイド部３に、その下端に重り４を装着した状態で吊り下げられるガイドワイヤー部５と、これらのガイドワイヤー部５に上下動自在に外挿される防舷体６と、これらの防舷体６が連続して連結されるフロート７とから構成されるものである。
【００１４】
そこでワイヤー吊り下げ用ガイド部３は、岸壁１の天端２のコーナーに取付けられるインサート金物８に岸壁１より海上へ向けてその先端が突設した状態で取付けられるものである。
【００１５】
そして前記ワイヤー吊り下げ用ガイド部３の先端に穿孔される連結用穴９にガイドワイヤー部５の上端を通して連結する。更にこのガイドワイヤー部５を円柱状の防舷体６の上下方向にガイドワイヤー部５が遊貫状に挿通できる穴径の挿通穴１０に貫通させて、その下端に重り４を連結するものである。
【００１６】
従って前記重り４によってガイドワイヤー部５が張着された状態で岸壁１の天端２より海中へ吊下げられる状態となる。そしてこのガイドワイヤー部５に対して防舷体６が上下動できる構成とするものである。
【００１７】
次にそれぞれの防舷体６との間をフロート７によって連結枢支するものであり、これらのフロート７の浮力によって互いにフロート７を介して連結される防舷体６全体を常に海面下から海面上となる位置とするものである。
【００１８】
また、図４に本発明を適用した岸壁用防舷材の他の例を説明するための正面説明図、図５は図４における側面説明図を示す。ここで示す岸壁用防舷材は、岸壁１の天端２に設けられるワイヤー吊り下げ用ガイド部３と、このワイヤー吊り下げ用ガイド部３に、その下端に重り４を装着した状態で吊り下げられるガイドワイヤー部５と、これらのガイドワイヤー部５に上下動自在に外挿され、更にフロート７が一体的に接合される防舷体６とから構成されるものである。
【００１９】
ここで、ワイヤー吊り下げ用ガイド部３は、前述の本発明を適用した岸壁用防舷材の一例で詳述したように、岸壁１の天端２のコーナーに取付けられるインサート金物８に岸壁１より海上へ向けてその先端が突設した状態で取付けられるものである。
【００２０】
そして前記ワイヤー吊り下げ用ガイド部３の先端に穿孔される連結用穴９にガイドワイヤー部５の上端を通して連結する。
【００２１】
次に防舷体６は、その下部にフロート７が一体的に接合される。更にその上下方向にガイドワイヤー部５が遊貫状に挿通できる穴径の挿通穴１０が貫通され、この挿通穴１０にガイドワイヤー部５を貫通し、同ガイドワイヤー部５の下端に重り４を装着する。
【００２２】
なお図６に示すように前記それぞれの防舷体６に貫通される挿通穴１０に対してガイドワイヤー部５が常に前記挿通穴１０に中心軸線上に位置するようにワイヤーガイド金具１１を防舷体６の上下開口端にそれぞれ取り付ける構造とすることが望ましい。
【００２３】
従って前記重り４によってガイドワイヤー部５が張着された状態で岸壁１の天端２より海中へ吊下げられる状態となる。そしてこのガイドワイヤー部５に対してフロート７の浮力によって防舷体６が常に海面下から海面上となる位置とするものである。
【００２４】
ここで、防舷体は耐久性および海水による防錆性および防蝕性に優れた硬質ゴムによって形成されるのが最も望ましいものであるが、硬質ゴムと同様な性能を有するものであれば他の材質であってもかまわない。
【００２５】
また、フロートはウレタンなどの発泡合成樹脂材などに防水処理を施したものを使用する、あるいは内部に空気室を設けた浮き袋形態としたものを使用するなど状況に応じて最も適したものを採用することが望ましい。
【００２６】
以上の構成より成る本発明では図１に示すように、岸壁１に沿って連続して配置される防舷体６は、これらの防舷体６間に連結されるフロート７の浮力によって常に海中から海面上に位置するように設定される。
【００２７】
従ってこれらの防舷体６は干満差に応じて浮遊するフロート７の浮力によってガイドワイヤー部５の上下方向を常に移動することとなる。
【００２８】
また、図４に示すように、岸壁１に配置される防舷体６は、防舷体６と一体的に接合されるフロート７の浮力によって常に海中から海面上に位置するように設定される。
【００２９】
従って防舷体６は干満差に応じて浮遊するフロート７の浮力によってガイドワイヤー部の上下方向をフロート７と一体的となって常に移動することとなる。
【００３０】
【発明の効果】
以上述べて来た如く本発明によれば、岸壁の天端よりガイドワイヤー部をワイヤー吊り下げ用ガイド部によって吊り下げることに防舷体を容易に取付けることが可能となり、従来のように岸壁にレールを取付ける工事が不要となり、工事期間の短縮および工事費を著しく軽減できる効果を得ることができる。
【００３１】
また、防舷体を別個設けたフロートの浮力によって上下動させる機構とすることによって船舶の接岸時の圧力に充分に耐える素材によって形成することが可能となる。更に防舷体を設置する工事が岸壁上より全て行うことが可能となる。
【図面の簡単な説明】
【図１】本発明を適用した岸壁用防舷材の一例を説明するための正面説明図である。
【図２】図１における要部拡大正面図である。
【図３】図１における要部拡大側面説明図である。
【図４】本発明を適用した岸壁用防舷材の他の例を説明するための正面説明図である。
【図５】図４における側面説明図である。
【図６】本発明を適用した防舷体に挿通穴にワイヤーガイド金具を取付けた状態を示す説明図である。
【図７】従来の防舷体の一例を示す説明図である。
【符号の説明】
１      岸壁
２      天端
３      ワイヤー吊り下げ用ガイド部
４      重り
５      ガイドワイヤー部
６      防舷体
７      フロート
８      インサート金物
９      連結用穴
１０      挿通穴
１１      ワイヤーガイド金具
【図１】
2004278047.tif 000003
【図２】
2004278047.tif 000004
【図３】
2004278047.tif 000005
【図４】
2004278047.tif 000006
【図５】
2004278047.tif 000007
【図６】
2004278047.tif 000008
【図７】
2004278047.tif 000009